(57)【要約】      （修正有）【課題】外反母趾又は内反小指の予防及び矯正用品を提供する。【解決手段】伸縮性のあるサポーター１をストレート又は両端の一方に切欠部を設け、両端部を折り曲げて、両端部に、接着又は縫合を施し、親指入輪４、小指入輪３を設け、親指８に親指入輪４を装着し、足の外方側面より足の裏面を通り、甲に巻き回し、もう一方の外方側面より足裏面でクロスして小指９を小指入輪３に装着、固定する。【選択図】図５
0003106238.tif 000002
【実用新案登録請求の範囲】
【請求項１】
伸縮性のある幅広のゴム紐１ａの両端を折り曲げて、両端部の５ａ，５ｂおよび６ａ，６ｂの箇所又は一部を縫合するか、両端部の内側に接着剤２を塗布し、接着することにより親指入輪４，小指入輪３を設け、足１０の小指９に装着する小指入輪３より、足１０の外方側面を通り甲に巻き回し、もう一方の外方側面より足１０の裏面でクロスして、親指８に装着する親指入輪４に他端が固定されてなる全部あるいは一部が伸縮性である外反母趾又は内反小指の予防および矯正サポーター。
【請求項２】
前記小指入輪３に、巾を狭める切欠部７を有する請求項１記載の外反母趾又は内反小指の予防および矯正サポーター。
【考案の詳細な説明】
【技術分野】
【０００１】本考案は、外反母趾又は内反小指の予防および矯正用品に関するものである。
【背景技術】
【０００２】外反母趾は、足の親指の一種の変形であって、前方にゆとりのない履物をはくことよって、親指の指先が隣接する第２指の方へ曲がって密着するようになり、親指の付け根の関節部が外方へ向けて突出状態となる。この関節部分の変形は、激しい疼痛を伴う。又、内反小指も足の小指の一種の変形であって、小指の指先が隣接する第４指の方へ曲がり、外反母趾と同様な疼痛を生じることがある。外反母趾，内反小指がひどくなると、履物のない素足での歩行時にも親指，小指の付け根関節部分に疼痛を感じる。又、足をかばうような不自然な歩行姿勢になりがちであって、この姿勢は、膝および腰の痛みの原因になるといわれている。【０００３】そこで、外反母趾，内反小指を予防ならびに矯正するために、従来から様々な外反母趾サポーター、テープ等が提案され、又、市販されている。例えば、特開平８−１９６５５８は、外反母趾矯正．予防テープバンに係わる発明で図７に示すものである。実用新案登録３０８５４３９号は、クロス状外反母趾及び足部障害軽減消失バンドに係わる発明で図８に示すものである。
【考案の開示】
【考案が解決しようとする課題】
【０００４】その目的は、足の親指と小指の変形を予防あるいは矯正するに際して、素足あるいは、履物の着用時において疼痛を和らげさらに着用時にごわごわした感触を与えない外反母趾又は内反小指の予防および矯正サポーターを提供することにある。
【課題を解決するための手段】
【０００５】本考案は、足の小指に装着する小指入輪３と親指に装着する親指入輪４を設け、前記小指装着部から、足の裏面を通り、外方側面より甲に巻回し、もう一方の外方側面より足裏でクロスし、前記親指に装着する親指入輪４に他端が固定されてなる。全部あるいは一部が伸縮性である外反母趾又は内反小指の予防および矯正サポーターである。
【考案を実施するための最良の形態】
【０００６】本考案における親指装着の親指入輪４、小指装着の小指入輪３は各々の足のサイズに見合った巾にすることが望ましく小指入輪３には切欠部７を設ける。親指入輪４、小指入輪３あるいはサポーターを構成する素材は編物、織物あるいは、フィルムであってもよくまた、伸縮性を有する素材、また、全部あるいは一部が伸縮性を有する素材であってもよい。具体例として、ポリウレタン系を使用した編物片、織ゴム等がある。その色は、肌に近い色であることが望ましいが、この色に限定されない。また、通気性を有することも望ましい。【０００７】本考案におけるサポーター１は、前記小指入輪３に一端が固定され、足裏の第一中足骨の下方あたりより甲に巻き回し、外方側面より足裏の中足靭帯の下あたりより、前記の上をクロスして、親指入輪４に他端が固定されている。このサポーター１は、全体又は、その一部が伸縮性である。【０００８】小指入輪３の部分又は全体は図２に示す通りである。サポーター素材としては天然繊維又は合成繊維の編物、織物等などのテープ又はリボン、合成樹脂、フィルム片などが挙げられるが、これらに限定されない。伸縮素材としては、家庭用ゴム紐素材、各種エラストマー素材などが挙げられる。具体例としては、織ゴムをほぼ全体に伸縮性部分（例えばゴム紐）を設けるなどの常法に従う。このサポーターは、その巾が親指又は小指の側部長に近いものが好ましく、具体的には、約２ｃｍ〜３．５ｃｍ巾が好ましい。
【考案の効果】
【０００９】本考案におけるサポーターは、親指入輪４と小指入輪３と甲に巻き回した箇所より、親指８と小指９を引く及び開く、又は甲の第一中足骨、第二中足骨及び第五中足骨を締め、中足靭帯がゆるんだ足及び足指全体を開く、元に戻す作用が働く。又、特殊な装着方法なので、体重を分散して支え、足への負担が軽減する。又、脱着が容易で肌ざわりもよく、クリーニングも容易で耐久性に優れ、軽量コンパクトで携帯にも便利である。
【実施例】
【００１０】図１は、親指入輪４、小指入輪３の生地サポーター１のストレートの形状を表わした全体図である。【００１１】図２は、サポーター１の小指入輪３の両側に設けた切欠部７で、小指９の巾に合わせた状態の全体図を表わした図である。【００１２】図３は、親指８と小指９の小指入輪３と親指入輪４を専用に設けた状態を表わした図である。【００１３】図４は、図３の矢印の部分のＡ−Ａ断面図を表わした図である。【００１４】図５は、サポーター１を親指８、小指９と足１０に装着及び巻き回した足の表を表わしたもので、甲を矢印の方向に押圧する状態も表わした図である。【００１５】図６は、サポーター１の図５を足１０の裏より表わしたもので、親指８と小指９を矢印の方向に開き又は広げ、又、第一中足骨、第二中足骨及び第五中足骨，中足靭帯を締め、親指８、小指９を矢印の方向に引く及び開く状態を表わした図である。【００１６】図７は、外反母趾矯正、予防テープバン（特開平８−１９６５５８）を表わした図である。【００１７】図８は、クロス状バンド（実用新案登録３０８５４３９号）を表わした図である。
【図面の簡単な説明】
【００１８】
【図１】本考案の外反母趾又は内反小指の予防および矯正用品のストレートの斜視図である。
【図２】本考案の外反母趾又は内反小指の予防および矯正用品の切欠部を示した斜視図である。
【図３】本考案の外反母趾又は内反小指の予防および矯正用品の斜視図である。
【図４】図３のＡ−Ａ線断面図説明である。
【図５】本考案の外反母趾又は内反小指の予防および矯正用品の使用状態を示す足の表の斜視図である。
【図６】本考案の外反母趾又は内反小指の予防および矯正用品の使用状態を示す足の裏の斜視図である。
【図７】従来の外反母趾．予防テープバンの図である。
【図８】従来のクロス状外反母趾及び足部障害軽減消失バンドの図である。
【符号の説明】
【００１９】１    外反母趾又は内反小指の予防および矯正サポーター
１ａ  幅広のゴム紐
２    接着剤
３    小指入輪
４    親指入輪
５ａ，５ｂ    縫合
６ａ，６ｂ    縫合
７    切欠部
８    親指
９    小指
１０  足
１１  隠れ線
【図１】
0003106238.tif 000003
【図２】
0003106238.tif 000004
【図３】
0003106238.tif 000005
【図４】
0003106238.tif 000006
【図５】
0003106238.tif 000007
【図６】
0003106238.tif 000008
【図７】
0003106238.tif 000009
【図８】
0003106238.tif 000010